(57)【要約】    【課題】      通信装置において、予め登録することなしに、特定機能に対応した機能キーを操作することにより、少ない操作手順で簡単に操作制御、機能をカスタマイズすること。    【解決手段】  所定の機能の実行が対応づけられた機能キーを有する通信装置において、機能制御メモリ１１０は、前記機能の実行を制御する機能制御モードであるか、機能の実行を制御しない通常モードであるかを示すモード状態を記憶する記憶領域し、入力部１０５は、前記機能キーを操作することによって入力される入力信号を検出し、機能制御切替部１０７は、検出された入力信号が所定の機能キーの操作によることを判定し、前記機能制御モードと前記通常モードとを切り替え、前記機能制御メモリの前記モード状態を更新し、機能制御判定部１０８は、前記モード状態が機能制御モードである場合に、前記機能キーに対応づけられた機能の実行の可否を判定する。  【選択図】      図１
2006033095.tif 000002
【特許請求の範囲】
【請求項１】
機能キーに対応づけられた機能の実行を制御する機能制御モードであるか、前記機能の実行を制御しない通常モードであるかを示すモード状態を記憶する機能制御メモリと、
前記機能キーへの操作によって入力される入力信号を検出する入力手段と、
検出された入力信号が機能キーへの所定の操作に基づくことを判定し、前記機能制御モードと前記通常モードとを切り替え、前記機能制御メモリのモード状態を更新する機能制御切替手段と、
前記モード状態が機能制御モードである場合に、前記機能の実行の可否を判定する機能制御判定手段と
を備えることを特徴とする通信装置。
【請求項２】
前記機能制御切替手段は、前記入力信号の連続入力時間の長さと入力回数との少なくともいずれかに基づいて、機能制御モードと通常モードとを切り替えることを特徴とする請求項１記載の通信装置。
【請求項３】
前記通信装置は、複数の機能キーを備え、
前記機能制御メモリは、さらに、前記モード状態が機能制御モードの場合に、実行可能な機能を特定する機能制御情報を、複数の機能キーそれぞれについて記憶し、
前記機能制御切替手段は、前記モード状態が機能制御モードの場合に、前記複数の機能キーそれぞれに対応する機能制御情報に基づいて、機能の実行の可否を判定することを特徴とする請求項１または請求項２記載の通信装置。
【請求項４】
前記機能制御切替手段は、前記機能制御モードへ切り替えてから所定の時間内に入力信号を検出した機能キーに対応づけられる機能の実行を可能にすることを特徴とする請求項３記載の通信装置。
【請求項５】
通信装置は、さらに、
前記機能制御モードへ切り替えることを確認する確認入力を促す表示手段を備え、
前記入力手段は、前記確認入力を受けつけ、
前記機能制御切替手段は、前記確認入力が受けつけられた場合に、前記モード状態を機能制御モードへ切り替えることを特徴とする請求項１から請求項４のいずれかに記載の通信装置。
【請求項６】
前記通信装置は、さらに、
機能制御モードを解除するパスワードを記憶する機能制御解除メモリと、
前記パスワードが入力された場合に、機能制御モードを解除するか否かを判定し、判定した結果に基づいて機能制御モードを解除する機能制御解除判定手段と
を備えることを特徴とする請求項１から請求項４のいずれかに記載の通信装置。
【請求項７】
所定の機能が対応づけられた機能キーへの操作によって入力される入力信号を検出する入力工程と、
検出された入力信号が機能キーへの所定の操作に基づくことを判定し、機能の実行を制御する機能制御モードと機能の実行を制御しない通常モードとを切り替る機能制御切替工程と、
前記モード状態が機能制御モードである場合に、前記機能の実行の可否を判定する機能制御判定工程と
を備えることを特徴とする通信装置の機能制御方法。
【発明の詳細な説明】
【技術分野】
【０００１】
本発明は、機能キーを有する通信装置及び機能制御方法に関し、特に、制御したい機能のキーを用いて、容易に機能をカスタマイズする通信装置及び機能制御方法に関する。
【背景技術】
【０００２】
従来、機能キーを有する通信装置及び機能制御方法としては、次のものがある。
（１）特許文献１に、予め登録した特定コマンドに対応する特定の機能を実行させることができるコマンド受付手段を備えた技術が開示されている。
（２）特許文献２に、電話において、機能の一部を不動作状態とするチャイルドロック機能を備えた技術が開示されている。
【特許文献１】特開２００３−１６９１０９号公報
【特許文献２】特開平７−７４８１９号公報
【発明の開示】
【発明が解決しようとする課題】
【０００３】
しかしながら、特許文献１記載の技術では、予め登録した特定機能のみが実行可能なため、臨機応変に容易に特定機能だけを第三者に使用させることが出来ず、不便である。また、特許文献２記載の技術では、チャイルドロック中は着信とチャイルドロック解除／一時解除操作以外の機能の操作はすべて無効になるため、特定の機能だけを第三者に使わせることができず、不便である。
【０００４】
本発明は係る点に鑑みてなされたものであり、予め登録することなしに、特定機能に対応した機能キーを操作することにより、少ない操作手順で簡単に操作制御、機能をカスタマイズする通信装置及び機能制御方法を提供することを目的とする。また意図しない機能を利用不可能にすることで、プライバシーを保護するとともに、第三者には意図する特定機能のみ使用許可することで、利便性が向上する通信装置及び機能制御方法を提供することを目的とする。
【課題を解決するための手段】
【０００５】
本発明の通信装置は、機能キー対応づけられた機能の実行を制御する機能制御モードであるか、前記機能の実行を制御しない通常モードであるかを示すモード状態を記憶する機能制御メモリと、前記機能キーへの操作によって入力される入力信号を検出する入力手段と、検出された入力信号が機能キーへの所定の操作に基づくことを判定し、前記機能制御モードと前記通常モードとを切り替え、前記機能制御メモリのモード状態を更新する機能制御切替手段と、前記モード状態が機能制御モードである場合に、前記機能の実行の可否を判定する機能制御判定手段とを備える構成を採る。
【発明の効果】
【０００６】
本発明の好適な実施の形態によれば、特定機能に対応した機能キーを操作することにより、少ない操作手順で簡単に機能の操作を制御する通信装置及び機能制御方法を提供できる。
【発明を実施するための最良の形態】
【０００７】
以下、本発明の実施の形態について、図面を参照して詳細に説明する。
【０００８】
（実施の形態１）
図１は、本発明の実施の形態１に係る（通信装置の一例として、）携帯電話１００の概略構成の一例を示すブロック図である。
【０００９】
携帯電話１００は、無線部１０１と、表示部１０２と、メインメモリ１０３と、ＣＰＵ（Central Processing Unit）１０４と、入力部１０５と、機能制御部１０６から主に構成される。機能制御部１０６は、機能制御切替部１０７と、機能制御判定部１０８と、タイマ１０９と、機能制御メモリ１１０から構成される。
【００１０】
無線部１０１は、無線信号を送受信し、表示部１０２は、文字・画像情報を表示し、メインメモリ１０３は、記録領域であり、ＣＰＵ１０４は、通信装置全体の機能を制御し実行させる。入力部１０５は、ユーザが機能キーを操作することによって入力される入力信号を検出する。なお、入力部１０５は、機能キーに限られずその他の入力手段（プッシュボタン等）からの入力信号を受けつけることもできる。機能制御切替部１０７は、機能モードの切り替えに関する機能を実現する。具体的には、動作の説明で述べる。
【００１１】
機能制御メモリ１１０は、モード状態と、機能制限情報と、制御中の機能情報とを記憶する記憶領域を有する。モード状態は、機能キーに対応づけられた機能の実行を制御する機能制御モードであるか、前記機能の実行を制御しない通常モードであるかを示す。また、機能制御情報は、機能制御モードの場合に、機能キーに対応づけられている実行可能な機能を記憶する。また、実施の形態１では、少なくとも一つの機能キーに対応する機能制御情報を格納する。制御中の機能情報は、制御機能モードの場合に、制御している機能の情報を格納する。例えば、本実施の形態では、機能キーとして通話開始キーを用いる場合、「通話開始機能使用可」を格納する。なお、以下の説明において、「機能制御モード」と「制御機能モード」は、同じものとする。
【００１２】
機能制御切替部１０７は、入力部１０５が検出した入力信号に基づいて、前記機能制御モードと前記通常モードとを切り替え、前記モード状態を前記機能制御メモリ１１０へ更新する。
【００１３】
機能制御判定部１０８は、機能制御メモリ１１０に記憶されたモード状態が機能制御モードである場合に、前記機能キーに対応づけられた機能の実行の可否を判定する。また、判定した結果に基づいて、機能の実行を制御する。
【００１４】
タイマ１０９は、所定の時間をカウントする。例えば、入力信号が入力された時間の長さ（連続入力時間）を計測する。タイマは、「タイマー」ともいう。
【００１５】
次いで、上記構成を有する携帯電話１００の動作について、図２，図３，図４のフローチャート図を用いて説明する。以下の説明では、「機能キー」を単に「キー」と記すこともある。また、本実施の形態では、機能キーとして通話開始キーを一例として説明する。機能制御メモリ１１０へは、通話開始キーに対応する機能制御情報として、ダイヤルキーと通話発信キーおよび機能制御解除キーの入力を可能とする情報を保持し、機能制御判定部１０８は、前記機能キー入力を受け付け、操作の実行を可能とする制御を行う場合を一例として説明する。
【００１６】
図２は、通常動作（通常モード）時に機能キー入力があった場合の機能制御開始判定の動作フローチャート図の一例である。
【００１７】
入力部１０５は通話開始キーの入力信号のオン、オフを検出する。入力信号がオフからオンに変わるタイミングで検出信号（検出した入力信号）の信号レベルが「０」から「１」に立ち上がり、タイマ１０９は連続入力時間をカウントする（Ｓ０１）。
【００１８】
機能制御判定部１０８は、機能制御メモリ１１０に記憶するモード状態を用いて、通常モードか機能制御モードかを判定する（Ｓ０２）。通常モードの場合は、どの機能キーの入力があったか判定する（Ｓ０３）。Ｓ０３において通話開始キーの入力があったと判定された場合は、機能制御モードの場合は機能制御動作を行う（Ｓ０４）。機能制御切替部１０７で一定時間Ｔ１より長い連続した入力（機能キーの操作による入力信号の入力）があるか判定する（Ｓ０５）。一定時間Ｔ１より長い時間連続した入力があったと判定された場合、機能制御切替部１０７は、機能制御モードをオンにし（Ｓ０６）、機能制御メモリ１１０の制御中の機能情報に通話開始機能使用可を記憶する（Ｓ０８）。通話開始機能使用可は、通話開始キー（機能キーの一例）に対応づけられる通話開始の機能が使用可能なことを意味する。また一定時間Ｔ１より長い時間入力がない場合は、通常の動作モード、本実施例では通話モードに移る（Ｓ０７）。
【００１９】
機能制御モード中、入力部１０５へ入力信号が入力された場合、機能制御判定部１０８が、入力信号（入力信号の連続入力時間等を含む）と機能制御メモリ１１０に記憶されている機能制御情報から、操作可能入力か操作不可能入力かを判定し、入力信号が操作可能入力の場合は、操作を許可する。本実施の形態では、通話開始機能が可能となるが、この場合は、ダイヤルキーと通話発信キーおよび機能制御解除キーの入力のみキー入力を受け付け、操作を行うことができる。
【００２０】
なお、本実施の形態ではキーを押した時間を判定し機能制御することを例に挙げたが、キーを連続で押した回数、キーの押すリズムその他の方法で機能制御を開始してもよい。
【００２１】
また、制御機能として機能キー入力が通話機能の場合を挙げたが、本発明はこれに限ったものではなく、メール起動キーによりメール機能、カメラ起動キーによりカメラ機能、メニュー起動キーによりメニュー機能、電話帳キーにより電話帳機能、マナーモードキーによりマナー機能等、その他のキー入力で機能制御してもよい。
【００２２】
図３は、機能制御モード時にキー入力があった場合の動作フローチャート図の一例である。入力部１０５は通話開始キーの入力信号のオン、オフを検出する。機能制御判定部１０８は、機能制御メモリ１１０のモード状態を参照して、通常モードか機能制御モードかを判定する（Ｓ１１）。機能制御モードの場合、機能制御切替部１０７は、制御機能解除（機能制御解除）かを判定する（Ｓ１２）。具体的には、機能制御切替部１０７は、ユーザによって操作されたキーの入力の状態が所定の条件を満たす場合に機能制御を解除する。
【００２３】
機能制御解除する場合は、機能制御を解除し（Ｓ１３）、通常モードに戻る（Ｓ１４）。機能制御を継続する場合は、機能制御メモリ１１０より制御中の機能を読み出し（Ｓ１５）、入力キーが機能制御メモリ内に記憶されている機能と同じか判定し（Ｓ１６）、同じ通話機能が入力されたと判定された場合は、通話機能ＯＮをＣＰＵ１０４に伝え（Ｓ１７）、通話機能を利用することができる。入力が異なる機能のキー入力の場合は、入力操作を受け付けない。
【００２４】
図４は、機能制御解除動作フローチャート図の一例である。入力部１０５は、通話開始キー（機能キーの一例）の入力信号のオン、オフを検出する。入力信号がオフからオンに変わるタイミングで検出信号の信号レベルが「０」から「１」に立ち上がり、タイマ１０９は、連続入力時間をカウントする（Ｓ２１）。タイマ１０９は、入力信号がオフになるまで、入力時間をカウントする。
【００２５】
次に、機能制御判定部１０８は、機能制御メモリ１１０を参照してモード状態が機能制御モードであり機能制御を解除する要求か否かを判定する（Ｓ２２）。機能制御モードの場合、機能制御切替部１０７は、機能制御メモリ１１０から記憶されている制御中の機能情報を読み出す（Ｓ２３）。機能制御メモリ１１０内の制御中の機能情報と入力された機能キーが一致するか照合する（Ｓ２４）。機能キーが一致し、タイマ１０９でカウントした時間が一定時間Ｔ１より長い時間だった場合（Ｓ２５）、機能制御を解除する（Ｓ２６）。入力キーが一致し、タイマ１０９でカウントした時間が一定時間Ｔ１未満だった場合、制御機能を起動する。本実施例の場合は、通話機能を起動する。入力キーが一致しなかった場合、機能制御モードに移行する（Ｓ２７）。
【００２６】
なお、本実施の形態では操作可能に機能制御する場合について説明したが、これに限ったものではなく、操作不可に機能制御する通信装置でもよい。
【００２７】
このように、本実施の形態によれば、特定コマンドの事前登録をすることなく、機能キー（通話開始キーは、一例）を一定時間継続して押し続けることで、機能キーに対応づけられている機能のみ（ここでは、通話機能のみ）を動作可能にできる。このように、ある一つの機能を一つのキー操作で容易にかつ即座にカスタマイズすることが可能で、プライバシーを保護、ｅコマース、非接触ＩＣカード（例えば、Ｆｅｌｉｃａ）機能等の意図しない機能の使用を防ぐ利便性のよい通信装置を提供できる。
【００２８】
（実施の形態２）
図５は、本発明の実施の形態２に係る携帯電話２００の概略構成の一例を示すブロック図である。なお、図５において図１と同一符号を付けたものは、同一名称、同様の機能を有するため説明を省略する。本実施の形態においても、通信装置の一例として携帯電話２００を用いて説明する。本実施の形態は、通信装置の機能制御（機能キーに対応する機能制御）を１つだけ制御するのではなく、複数の機能を制御する点が、実施の形態１とは相違している。
【００２９】
携帯電話２００は前記実施の形態１の携帯電話１００に加え、機能制御部２０６は、機能制御メモリ１１１への入力に対してタイマ２１０を備えている。
【００３０】
タイマ２１０は、タイマ１０９と同様に、入力信号が入力された時間の長さ（連続入力時間）を計測する。
【００３１】
機能制御メモリ１１１は、実施の形態１で説明した記憶領域に加え、制御中の機能情報を複数格納する記憶領域を有する。また、複数の機能キーに対応する機能制御情報を格納する記憶領域を有する。
【００３２】
次いで、上記構成を有する携帯電話２００の動作について、図６を用いて説明する。
【００３３】
図６は、本実施の形態に係る機能制御開始判定の動作フローチャート図の一例である。以下は、実施の形態１と異なるフローについてのみ説明する。
【００３４】
入力信号がオフからオンに変わるタイミングで検出信号の信号レベルが「０」から「１」に立ち上がり、タイマ１０９とともにタイマ２１０で連続入力時間をカウントする（Ｓ０１）。機能制御モードをオンにし（Ｓ０６）、機能制御メモリ１１１に通話開始機能使用可を記憶する（Ｓ０８）。タイマ２１０は、一定時間Ｔ２が経過するまでカウントを継続する（Ｓ１０１）。一定時間Ｔ２が経過するまで、他の機能キーの入力を待つ。一定時間Ｔ２経過まで入力がない場合は、通話開始キーのみ機能制御する。
【００３５】
タイマ２１０で一定時間Ｔ２経過するまで、その他の機能キーの入力があった場合は、入力された全ての機能をＯＮにし（Ｓ１０２）、機能制御メモリ１１１の制御中の機能情報に通話開始機能使用可と一定時間Ｔ２経過までに入力された機能を記憶する（Ｓ１０３）。記憶された機能が実行可能な機能となる。
【００３６】
このように、本実施の形態によれば、特定コマンドの事前登録をすることなく、複数個の機能制御をその場で即座に選択、設定することができる。
【００３７】
（実施の形態３）
本発明の実施の形態３では、実施の形態１で示した携帯電話１００を用いて説明する。このため、携帯電話１００の構成の説明は省略する。
【００３８】
本実施の形態は、通信装置の機能制御において、機能選択途中または後に操作可能／操作不可を選択する点が、実施の形態１とは相違している。機能制限モードに設定した後、機能制限ＯＮと機能制限ＯＦＦとが選択できるようにしている。機能制限ＯＮとは、機能制限モードを設定する際に選択した機能に対応づけられた機能に限って実施可能にする。機能制限ＯＦＦとは、機能制限モードを設定する際に選択した機能キーに対応づけられた機能のうち特定の機能に限って実施ができないようにし、その他の機能については実施可能とする。
【００３９】
例えば、通話開始ボタン（機能キー）を操作することによって、通話機能を選択して機能制限モードの設定を実施した場合について説明する。通話機能には、通話開始、電話帳参照、電話番号入力、終話、四つの機能がある。また、比較のため、別の機能キーで機能制限するカメラ、メールの機能についてもあわせて説明する。
（１）機能制限ＯＮでは、前記四つの機能は実施可能である。カメラ、メールは実施不可能である。
（２）機能制限ＯＦＦでは、通話開始のみ実施不可能であり、その他の機能（カメラ、メールを含む）については、実施可能である。
【００４０】
また、メールの機能キーで、メール機能を選択して機能制限モードにした場合、機能制限ＯＮでは、メールのみ実施可能であり、その他の機能（通話機能の四つの機能およびカメラの機能）は実施不可能となる。
【００４１】
次いで、本実施の形態における携帯電話１００の動作について、図７を用いて説明する。図７は、本実施の形態に係る機能制御開始判定の動作フローチャート図の一例である。なお、図７において図２と同一符号（ステップ番号）を付けたものは、同一名称、同様の動作であるため説明を省略する。
【００４２】
以下は、実施の形態１と異なる動作についてのみ説明する。一定時間以上の連続した入力があったと判定された場合、機能制御モードをオンにし（Ｓ０６）、機能キーに対応する機能を選択された制御機能とし、機能制御メモリ１１０に選択された制御機能を一時記憶する（Ｓ３１）。例えば、通話機能、メール機能などの機能が選択した制限機能として一時記憶されることになる。選択した制御機能の機能制御をＯＮにするかＯＦＦにするかの選択を促す画面を表示部１０２に表示する（Ｓ３２）。
【００４３】
入力部１０５へ機能制御をＯＮにするという入力があった場合（Ｓ３３）、機能制御切替部１０７は、機能制御メモリ１１０に選択された制御機能の機能制御ＯＮを記憶する（Ｓ３４）。機能制御をＯＦＦにするという入力があった場合、機能制御切替部１０７は、機能制御メモリ１１０に選択された制御機能の機能制御ＯＦＦを記憶する（Ｓ３５）。このようにして、機能キーの操作によって機能制御モードへの指示があった場合に、機能制御モード状態にしたあと、制御機能のＯＮ／ＯＦＦの確認／変更が可能となる。したがって、利用者が機能制限ＯＮにしたい機能をよりきめ細やかに選択することが簡単な操作で容易に実施できる。
【００４４】
上記の説明では、機能制限ＯＮ／ＯＦＦの場合に実施可能／不可能の機能が予め設定されていたが、機能キーに対応づけられた機能として、複数の機能がある場合には、画面上に各機能（例えば、通話機能の場合は、上記で説明した四つの機能）を表示し、利用者に機能のＯＮ／ＯＦＦを選択させることによって機能毎にＯＮ／ＯＦＦを選択することも可能となる。例えば、通話機能の機能キーが操作され機能制御モードになった場合、通話機能には、通話開始、電話帳参照、電話番号入力、の複数の機能があった場合、通話開始を機能制限ＯＮにし、他の機能を機能制限ＯＦＦにすると、通話開始はできなくとも、電話帳の参照は可能となる。
【００４５】
なお、機能制限ＯＮ／ＯＦＦを選択する画面は所定のキー操作によって表示できるように設定しておく。あるいは、機能キーの操作によって表示するようにしてもよい。
【００４６】
なお、本実施の形態では、ユーザへ確認入力を要求する場合を説明したが、予め取り決めたパスワードを入力させ、パスワードを照合することによって、モード状態の変更をしてもよい。パスワードは、機能制御メモリ１１０へ格納し、機能制御切替部１０７が機能制御メモリ１１０を参照して、入力されたパスワードを照合する構成も可能である。
【００４７】
このように、本実施の形態によれば、特定コマンドの事前登録をすることなく、選択した機能について、ある機能の操作が可能になる機能制御ＯＮモード(使用可能機能制御モード)にするかあるいは機能の操作が不可能になる機能制御ＯＦＦモード(使用不可機能制御モード)にするかを選択することができる。
【００４８】
（実施の形態４）
本発明の実施の形態４では、実施の形態１で示した携帯電話１００を用いて説明するため、携帯電話１００の構成の説明は省略する。本実施の形態は、通信装置の機能制御において、操作不可または可能にする機能制御する手段は、操作可能または不可にするキー操作制御に１つまたはそれ以上のいくつかの操作を加えた操作で操作不可または操作可能の切り替えをする点が、実施の形態３とは相違している。
【００４９】
機能制御メモリ１１０は、機能キーによる操作が可能か否かの操作情報を記憶する。操作情報は、操作可（ＯＮ）／操作不可（ＯＦＦ）のいずれかが書き込まれている。
【００５０】
次いで、本実施の形態における携帯電話１００の動作について、図８を用いて説明する。図８は、本実施の形態に係る機能制御開始判定の動作フローチャート図の一例である。なお、図８において図２と同一符号（ステップ番号）を付けたものは、同一名称、同様の動作であるため説明を省略する。
【００５１】
以下は、実施の形態１と異なるフローについてのみ説明する。入力部１０５で逆動作入力、例えばクリアキーの入力を検出する（Ｓ４１）。逆動作入力は、機能の実行に逆行する動作、入力の取り消し等の動作をいう。クリアキーの入力を検出した後、一定時間以内に入力部１０５で新規の機能キーが入力されるか検出する（Ｓ４２）。
【００５２】
新規の機能キーの入力に伴う入力信号を検出した場合、機能制御メモリ１１０の操作情報に操作不可（ＯＦＦ）を書き込む（Ｓ４３）。新規入力信号が機能制御切替部１０７で一定時間Ｔ１より長い時間連続してあった場合、機能制御メモリ１１０から操作情報（操作可（ＯＮ）／操作不可（ＯＦＦ））を読み出す（Ｓ４４）。読み出した操作情報（ここでは、Ｓ４３より操作不可（ＯＦＦ）が書き込まれている）と新規入力信号の機能とから、本実施の形態の場合、通新規入力信号が通話開始機能から、機能制御メモリ１１０に通話開始機能使用不可を記憶する（Ｓ４５）。
【００５３】
なお、１つの操作の違いのみで操作可／操作不可に機能制御する例を挙げたが、本発明はこれに限ったものではなく、１つまたはその他の操作の組み合わせで、容易に切り替え操作を行うことができる。
【００５４】
このように、本実施の形態によれば、特定コマンドの事前登録をすることなく、制御機能の不可または可能を、１つの操作の違いのみ、またはその他の操作の組み合わせで、容易に切り替え操作を行うことができる。
【００５５】
（実施の形態５）
図９は、本発明の実施の形態５に係る携帯電話５００の概略構成ブロック図の一例である。なお、図９において図１と同一符号を付けたものは、同一名称、同様の機能を有するため説明を省略する。本実施の形態は、通信装置の機能制御解除判定を、機能制御開始判定と同じ動作で行っているのではなく、パスワードを用いて機能制御解除判定を行っている点が、実施の形態１とは相違している。
【００５６】
携帯電話５００の機能制御部５０６は、図１の携帯電話１００に加え、機能制御切替判定部５５０と、機能制御解除判定部５５１と、機能制御解除メモリ５５２とを備えている。
【００５７】
機能制御切替判定部５５０は、図１の機能制御切替部１０７と同様の機能を有するが、機能制御モードから通常モードへ切り替える動作を実行する機能は除かれる。また、機能制御解除判定部５５１が機能制御を解除し、通常モードへ変更した場合に、通知を受け（図示していない）、機能制御メモリ１１１のモード状態を更新する。
【００５８】
機能制御解除判定部５５１は、パスワードの入力を検出し、機能制御を解除するか否かを判定する。判定にあたっては、モード状態の確認とパスワードの確認とを行う。
【００５９】
機能制御解除メモリ５５２は、機能制限の解除を要求する機能制限解除パスワードを記憶する。機能制限解除パスワードは、機能キー毎に異なっていてもよく、また、一つの機能キーについて複数の機能制限解除パスワードを有し、他段階に機能制限解除パスワードを照合するようにしてもよい。
【００６０】
次いで、上記構成を有する携帯電話の動作について、図１０に示すフローチャートを用いて説明する。図１０は、本実施の形態の機能制御解除動作の一例を示すフローチャート図である。
【００６１】
まず、入力部１０５がパスワードの入力を検出すると、機能制御解除判定部５５１へ通知する。機能制御解除判定部５５１は、機能制御メモリ１１１のモード状態を参照し、現在、機能制御モードであり、機能制御を解除することを要求しているか（機能制御解除）を確認する（Ｓ５１）。機能制御モードが解除された場合、機能制御解除判定部５５１は、機能制御解除メモリ５５２へ格納されている機能制御解除パスワードを読み出し（Ｓ５２）、入力されたパスワードと照合（一致しているかを判断）する（Ｓ５３）。入力されたパスワードが機能制御解除パスワードと一致した場合は機能制御を解除し（Ｓ５４）、一致しない場合は、機能制御モードを継続する（Ｓ５５）。
【００６２】
このように、本実施の形態によれば、ユーザ本人以外が機能制御解除することをより不可能にすることができる。
【００６３】
なお、上記各実施の形態では通信装置として携帯電話を挙げたが、本発明はこれに限ったものではなく、ＰＨＳ（Personal Handyphone System）（登録商標）、ＰＤＡ（Personal Digital Assistantｓ）等のその他の通信装置でもよい。また、通信装置は、必ずしも携帯できる機器に限られることはない。さらに、通信装置は、無線・有線のいずれの通信方式であっても、機能キーを有する通信装置であれば含まれる。
【産業上の利用可能性】
【００６４】
本発明の好適な実施の形態は、ユーザ本人が意図しない使われ方がしないように、通信装置を簡単な操作で容易にカスタマイズすることで、第三者に貸与しても、プライバシーを保護し、ｅコマース、非接触型ＩＣカード（例えば、Ｆｅｌｉｃａ）機能等の意図しない機能の使用を防ぐ利便性のよい通信装置及び機能制限方法を提供することに適する。
【図面の簡単な説明】
【００６５】
【図１】本発明の実施の形態１に係る通信装置の概略構成の一例を示すブロック図
【図２】上記実施の形態に係る通常動作（通常モード）時に機能キー入力があった場合の機能制御開始判定の動作フローチャート図
【図３】上記実施の形態に係る機能制御モード時にキー入力があった場合の動作フローチャート図
【図４】上記実施の形態に係る機能制御解除動作フローチャート図
【図５】本発明の実施の形態２に係る携帯電話の概略構成の一例を示すブロック図
【図６】上記実施の形態に係る機能制御開始判定の動作フローチャート図
【図７】本発明の実施の形態３に係る機能制御開始判定の動作フローチャート図
【図８】本発明の実施の形態４に係る機能制御開始判定の動作フローチャート図
【図９】本発明の実施の形態５に係る携帯電話の概略構成の一例を示すブロック図
【図１０】上記実施の形態に係る機能制御解除動作の一例を示すフローチャート図
【符号の説明】
【００６６】
１００，２００，５００  携帯電話
１０１  無線部
１０２  表示部
１０３  メインメモリ
１０４  ＣＰＵ
１０５  入力部
１０６，２０６，５０６  機能制御部
１０７  機能制御切替部
１０８  機能制御判定部
１０９，２１０  タイマ
１１０，１１１  機能制御メモリ
５５０  機能制御切替判定部
５５１  機能制御解除判定部
５５２  機能制御解除メモリ
【図１】
2006033095.tif 000003
【図２】
2006033095.tif 000004
【図３】
2006033095.tif 000005
【図４】
2006033095.tif 000006
【図５】
2006033095.tif 000007
【図６】
2006033095.tif 000008
【図７】
2006033095.tif 000009
【図８】
2006033095.tif 000010
【図９】
2006033095.tif 000011
【図１０】
2006033095.tif 000012